(57)【要約】【課題】被掛止物の形状や種類を問わず容易かつ確実に保持することができ、少ない面積で複数の被掛止物を保持することができ、さらには、比較的簡易な構造で美観に優れたハンガーを提供すること。【解決手段】垂下される紐体２に対して移動自在に係合される保持具３ａは、一端部に紐体２が挿通される挿通部３５と他端部に被掛止物を保持する保持部３１、３２を有し、保持部３１、３２に被掛止物４ａを保持させると保持具３ａが被掛止物４ａの自重により傾斜するに伴って挿通部内周壁３６、３７は挿通されてなる紐体２を当接係止し、紐体２の垂直方向への移動を規制することにより保持具３ａは紐体２に対して固定される。【選択図】  図６
2011087655.tif 000002
【特許請求の範囲】
【請求項１】
垂下される紐体に対して移動自在に係合される保持具は、一端部に前記紐体が挿通される挿通部と他端部に被掛止物を保持する保持部を有し、前記保持部に前記被掛止物を保持させると前記保持具が前記被掛止物の自重により傾斜するに伴って前記挿通部内周壁は挿通されてなる前記紐体を当接係止し、前記紐体の垂直方向への移動を規制することにより前記保持具は紐体に対して固定されることを特徴とするハンガー。
【請求項２】
垂下される紐体に対して移動自在に係合される保持具は、一端部に前記紐体が挿通される挿通部と他端部に被掛止物を保持する保持部を有し、前記保持部に前記被掛止物を保持させると前記保持具が前記被掛止物の自重により傾斜するに伴って前記挿通部内周壁は挿通されてなる前記紐体を屈曲係止し、前記紐体の垂直方向への移動を規制することにより前記保持具は紐体に対して固定されることを特徴とする請求項１記載のハンガー。
【請求項３】
保持具は、前記保持具の一端部に形成された挿通部に紐体を挿通することにより前記紐体に対して略水平に係合されてなることを特徴とする請求項１または請求項２に記載のハンガー。
【請求項４】
挿通部は、略長方形状または略正方形状の挿通孔としたことを特徴とする請求項１乃至請求項３のいずれかに記載のハンガー。
【請求項５】
挿通部は、短手方向の内径を挿通される紐体の径と略同一または紐体の径以下の長さの扁平状の挿通孔としたことを特徴とする請求項１乃至請求項４のいずれかに記載のハンガー。
【請求項６】
挿通部は、内方に保持具と紐体への規制を強固にする段部を形成したことを特徴とする請求項１乃至請求項５のいずれかに記載のハンガー。
【請求項７】
挿通部には、紐体挿入用の開放端部を形成したことを特徴とする請求項１乃至請求項６のいずれかに記載のハンガー。
【請求項８】
紐体は、組み紐、編み紐、織り紐、または縒り紐のいずれかとしたことを特徴とする請求項１乃至請求項７のいずれかに記載のハンガー。
【請求項９】
紐体は、断面が略円形状、略楕円形状、または略正方形状のいずれかとしたことを特徴とする請求項１乃至請求項８のいずれかに記載のハンガー。
【請求項１０】
紐体には、複数の保持具を係合したことを特徴とする請求項１乃至請求項９のいずれかに記載のハンガー。
【請求項１１】
保持部は、クリップ部、または、フック部としたことを特徴とする請求項１乃至請求項１０のいずれかに記載のハンガー。
【請求項１２】
被掛止物は、帽子、身の回り品、文房具、台所用具等の小物類であることを特徴とする請求項１乃至請求項１１のいずれかに記載のハンガー。
【発明の詳細な説明】
【技術分野】
【０００１】
本発明は、帽子、身の回り品、文房具、台所用具等の被掛止物を保持するハンガーに関する。
【背景技術】
【０００２】
従来より、帽子等の服飾品や身の回り品に代表される小物類を掛けるためのハンガーには様々なものが提供されている。たとえば、帽子専用のハンガーとしては、一つの帽子の頂部を挿通する吊り下げ部と帽子内方に位置し帽子の形状を保持するハンガー部とからなる帽子用ハンガーや、フック状のハンガーの複数のフック部に帽子を掛止する帽子用ハンガーが案出されている（特許文献１、２）。また、ネクタイ等の長尺服飾品を掛けるための梯子状の係止部からなる長尺服飾品用ハンガー等が案出されている（特許文献３）。また、紐状体を使用してなる簡易型のハンガーとしては、物干し竿にコイル状に巻回した線材にピンチを取り付けて成る物干し具、二本の紐状体に物掛け杵を平行に複数本懸架した物干し具等が案出されている（特許文献４、５）。
【特許文献１】特開２００３−２７５０８６号公報
【特許文献２】実用新案登録第３１１６１３９号公報
【特許文献３】特開２００８−９９８２１号公報
【特許文献４】特開２００５−５２４８０号公報
【特許文献５】特開２００６−２４７３４９号公報
【発明の開示】
【発明が解決しようとする課題】
【０００３】
帽子、身の回り品、文房具、台所用具等の小物を掛止するハンガーはクローゼット、玄関、店頭、さらには、室内や台所等で用いることが想定されるが、いずれの場所で用いる場合であってもできるだけ少ない面積でできるだけ多くの物を掛止したいという要請がある。また、ハンガーに物を掛止したときにもハンガーが必要以上に目立つことなく、美観に優れたハンガーを提供することがのぞまれている。
【０００４】
しかしながら、上述した、帽子用ハンガーは、一つまたは二つの帽子しか掛止することができず多くの物を掛止することができないという問題がある。また、これら帽子用ハンガーや、長尺服飾品用ハンガーは、帽子やネクタイ専用のハンガーであるために被掛止物の種類が限られてしまい、汎用性に富んだハンガーとは言い難い。また、紐体を用いた物干し具は、被掛止物を所望の位置に固定することができ、また、物干し具を使用しないときには巻回して収納することができ携帯にも適するが、物干し具という機能であることから被掛止物を掛止するときには多くの面積を必要とするものであった。また、これら物干し具は美観に優れているとは言い難い。
【０００５】
上述の事情に鑑みて、本願発明のハンガーは、被掛止物の形状や種類を問わず容易かつ確実に保持することができ、少ない面積で複数の被掛止物を保持することができ、さらには、比較的簡易な構造で美観に優れたハンガーを提供することを目的とする。
【課題を解決するための手段】
【０００６】
上記目的を達成するため本願発明のハンガーは、垂下される紐体に対して移動自在に係合される保持具は、一端部に前記紐体が挿通される挿通部と他端部に被掛止物を保持する保持部を有し、前記保持部に前記被掛止物を保持させると前記保持具が前記被掛止物の自重により傾斜するに伴って前記挿通部内周壁は挿通されてなる前記紐体を当接係止し、前記紐体の垂直方向への移動を規制することにより前記保持具は紐体に対して固定されることを特徴とする。
【０００７】
垂下される紐体に対して移動自在に係合される保持具は、一端部に前記紐体が挿通される挿通部と他端部に被掛止物を保持する保持部を有し、前記保持部に前記被掛止物を保持させると前記保持具が前記被掛止物の自重により傾斜するに伴って前記挿通部内周壁は挿通されてなる前記紐体を屈曲係止し、前記紐体の垂直方向への移動を規制することにより前記保持具は紐体に対して固定されることを特徴とする。
【０００８】
保持具は、前記保持具の一端部に形成された挿通部に紐体を挿通することにより前記紐体に対して略水平に係合されてなることを特徴とする。
【０００９】
挿通部は、略長方形状または略正方形状の挿通孔としたことを特徴とする。
【００１０】
挿通部は、短手方向の内径を挿通される紐体の径と略同一または紐体の径以下の長さの扁平状の挿通孔としたことを特徴とする。
【００１１】
挿通部は、内方に保持具と紐体への規制を強固にする段部を形成したことを特徴とする。
【００１２】
挿通部には、紐体挿入用の開放端部を形成したことを特徴とする請求項１乃至請求項６のいずれかに記載のハンガー。
【００１３】
紐体は、組み紐、編み紐、織り紐、または縒り紐のいずれかとしたことを特徴とする。
【００１４】
紐体は、断面が略円形状、略楕円形状、または略正方形状のいずれかとしたことを特徴とする。
【００１５】
紐体には、複数の保持具を係合したことを特徴とする。
【００１６】
保持部は、クリップ部、または、フック部としたことを特徴とする。
【００１７】
被掛止物は、帽子、身の回り品、文房具、台所用具等の小物類であることを特徴とする。
【発明の効果】
【００１８】
本願発明のハンガーにおいて、垂下される紐体に対して移動自在に係合される保持具は、一端部に前記紐体が挿通される挿通部と他端部に被掛止物を保持する保持部を有し、前記保持部に前記被掛止物を保持させると前記保持具が前記被掛止物の自重により傾斜するに伴って前記挿通部内周壁は挿通されてなる前記紐体を当接係止し、前記紐体の垂直方向への移動を規制することにより前記保持具は紐体に対して固定されることにより前記保持具は紐体に対して固定されることで、保持具を紐体の長さの範囲内で所望の位置に移動させることができ、被掛止物を掛止するときには保持具を紐体の所望の位置に保持具を固定することができる。したがって、被掛止物の大きさ、形状、種類を問わずに掛止することができる。また、被掛止物の自重により保持具が固定されることから、複雑な構成を要することなく位置決めと被掛止物の掛止を容易に行うことができ、被掛止物を所望の位置に確実に保持することができる。また、垂下される紐体に掛止することから、縦方向に複数の被掛止物を掛止することができ、少ない面積に沢山の被掛止物を掛止することができる。また、保持具を紐体に固定するための特別の部品を用いることなく、紐体と保持具という少ない部品で構成されることから簡易な構造で美観に優れたハンガーを提供することができ、また、比較的安価にハンガーを生産することができる。
【００１９】
垂下される紐体に対して移動自在に係合される保持具は、一端部に前記紐体が挿通される挿通部と他端部に被掛止物を保持する保持部を有し、前記保持部に前記被掛止物を保持させると前記保持具が前記被掛止物の自重により傾斜するに伴って前記挿通部内周壁は挿通されてなる前記紐体を屈曲係止し、前記紐体の垂直方向への通り抜けを確実に阻止し、前記保持具は紐体に対して固定されることにより紐体の挿通を確実に規制することができ、掛止物をより確実に固定することができる。
【００２０】
保持具は、前記保持具の一端部に形成された挿通部に紐体を挿通することにより前記紐体に対して略水平に係合されてなることにより、被掛止物を掛止しないときには、紐体に対して保持具がフリーな状態となり保持具の位置決めを容易に行うことができ、被掛止物を掛止したときには、被掛止物の自重が保持具に直接作用して保持具を傾斜させて紐体の垂直方向への移動を確実に規制し保持具を確実に固定することができる。
【００２１】
挿通部は、略長方形状または略正方形状の挿通孔としたことにより、被掛止物を係止したときには挿入孔の縁部が紐体を押止および屈曲させて紐体の垂直方向への移動を確実に規制し保持具を確実に固定することができる。
【００２２】
挿通部は、短手方向の内径を挿通される紐体の径と略同一または紐体の径以下の長さの扁平状の挿通孔としたことにより、上記効果に加えて挿入孔と紐体との摩擦が増し、紐体の移動を確実に規制し保持具を確実に固定することができる。
【００２３】
挿通部は、内方に保持具と紐体への規制を強固にする段部を形成したことにより、上記効果に加えて段部が紐体を係止し紐体の移動を確実に規制し保持具を確実に固定することができる。
【００２４】
挿通部には、紐体挿入用の開放端部を形成したことにより、この開放端から紐体を挿入することにより、紐体に保持具を容易に係合することができる。また、紐体両端部に取り付けループを形成した場合のように紐体両端部が閉鎖端になっている場合であっても保持具を係合することができる。
【００２５】
紐体は、組み紐、編み紐、織り紐、または縒り紐のいずれかとしたことにより、紐体表面を粗面に形成することができ、挿通部と紐体との摩擦が増し、挿通部は紐体の移動を確実に規制し保持具を確実に固定することができる。また、紐体を略水平方向に張った場合であっても、保持具が撓んだ紐体の中央部に集まることがない。
【００２６】
紐体は、断面が略円形状、略楕円形状、または略正方形状のいずれかとしたことにより、挿入部とこのような形状の丸紐とは摩擦が増し紐体の移動を確実に規制し保持具を確実に固定することができる。特に挿通部を短手方向の内径を挿通される紐体の径と略同一または紐体の径以下の長さの扁平状の挿通孔としたときには、挿通孔が紐体との摩擦が増し紐体の移動を確実に規制し、保持具を確実に固定することが顕著である。
【００２７】
紐体には、複数の保持具を係合したことにより、一本の紐体に対して複数の被掛止物を掛止することができる。
【００２８】
保持部は、クリップ部、または、フック部としたことにより、あらゆる大きさ、形状、種類の被掛止物を掛止することができる。
【００２９】
被掛止物は、帽子、身の回り品、文房具、台所用具等の小物類であることにより、比較的軽量の被掛止物を確実に保持することができる。
【発明を実施するための最良の形態】
【００３０】
図１は、本願発明の実施の形態を示すハンガーの正面図、図２は、ハンガーの側面図、図３は、クリップが移動自在の状態のハンガーの紐体中心線垂直方向の部分断面図、図４は被掛止物（省略）を掛止しクリップが紐体を当接係止して紐体に固定された状態のハンガーの紐体中心線垂直方向部分断面図、図５は、被掛止物（省略）を掛止しクリップが紐体を屈曲係止して紐体に固定された状態のハンガーの部分側面図、図６は、図５に示す状態のハンガーの紐体中心線垂直方向の部分断面図、図７はクリップの正面図、図８は、クリップの背面図、図９は、ハンガーの使用状態を示す部分斜視図、図１０は、ハンガーの使用状態を示す斜視図、図１１は、ハンガーの他の使用状態を示す斜視図である。
【００３１】
図１、図２に示す如く、ハンガー１は、紐体２に保持具としてのクリップ３ａ〜３ｇが所望の数、係合されてなるハンガー１であり、この実施の形態においては紐体２がクリップ３ａ〜３ｇが挿通部としての挿通孔３５に挿通されて、７個係合されている。それぞれのクリップ３ａ〜３ｇは、紐体２の長さの範囲で移動自在になっており、係合されるクリップ部に被掛止物としての帽子４a〜４ｆの他、携帯傘等の身の回り品、カード類やカレンダー等の文房具、手動泡立て器やへら等の台所用具等、所望の被掛止物を保持させることにより、これら様々な被掛止物を掛止することができるようになっている。
【００３２】
図１、図２に示すハンガー１は、図１０に示すように縦方向に垂下させても、図１１に示すように横方向に張っても使用することができるが、特に図１０に示すようにハンガー１を縦方向に垂下させたときに顕著にその機能を発揮するようになっている。以下、ハンガー１の構造とその使用状態について具体的に説明する。
【００３３】
図３乃至図６には、ハンガー１を構成する紐体２にクリップ３ａが係合されてなるハンガー１の一部分を示す。図３は、被掛止物を掛止していない状態のクリップ３ａ部分における垂直方向の断面図であるが、図３に示すごとく、ハンガー１は、一本の紐体２に対して挿通孔３５に紐体２を挿通することにより図７、図８に示すクリップ３ａが係合されていて、クリップ３ａは紐体２の長さの範囲で移動自在になっている。尚、クリップ３ｂ〜３ｇについても同様の構成により紐体２に係合されている。
【００３４】
図７、図８に示すクリップ３ａは、一対の挟持体３３、３４が接合されてなり、その一端部には、挿通部としての挿通孔３５が開孔されている。また、クリップ３ａの他端部には保持部としての挟持部３１、３２が形成されており、挟持体３３、３４に対するバネの付勢により挟持部３１、３２が被掛止物を挟んで保持するようになっている。
【００３５】
この挿通孔３５は、挟持体３４の厚み方向に開孔されている略長方形状の孔部であり、ここに紐体２が挿通され、被掛止物を掛止したときには、挿通孔３５内周壁の頂部３６、３７は挿通される紐体２を押止する当接係止部として機能する。
【００３６】
このように挿通孔３５を略長方形状、略正方形状、略楕円状に形成にすることにより、丸孔に開孔した場合に比して紐体２をしっかり押止して当接係止することができるようになっている。また、挿通孔３５の短手方向の長さは挿通される紐体２の径と同一または径以下の長さの扁平状の孔部に形成することがのぞましく、このように形成することで挿通孔３５が挿通される紐体２潰すように挿通して、双方の摩擦が増し、紐体２に対してクリップ３ａがより確実に固定されるようになっている。
【００３７】
また、挿通孔３５内周壁には、段部３８が形成されている。挿通される紐体２は、この段部に嵌合、または、段部３８の頂部３８ａ、３８ｂに係止されて、紐体２の移動を確実に規制できるようになっている。また、挿通孔３５の一部は、開放部３９に形成されていて、この開放部３９から紐体２を挿入して紐体２を挿通させ、紐体２にクリップ３ａを係合できるようになっており、必要に応じて所望の数のクリップを追加して係合できるようになっている。尚、挿入孔３５に対する紐体２の移動を確実に規制するための補助手段は、段部３８に限られず、突起部を形成してもよい。
【００３８】
尚、本実施の形態のクリップ３ａは、ポリカーボネイド、ポリスチレン、ポリアセタール等のプラスチック樹脂で形成されているため、軽量であるとともに、強度にも優れ、金属を用いていないため廃棄時の分別にも適している。尚、クリップの材質および構造はこれに限られるものではなく、木材、金属等により形成してもよい。
【００３９】
紐体２は、可撓性を有する紐状体である。この紐体２は、両端に紐体２を固定するためのループ２２、２３が形成されている。紐体２は、複数本の紐状体を組んで形成される断面が略円形状の組紐である。断面が円形状であることにより、略長方形状の挿通孔３５に対してしっかりと固定されるようになっている。また、組紐であることにより表面が粗面であることからクリップ３ａの挿通孔３５内周壁との摩擦が増し、クリップ３ａが紐体２にしっかりと固定されるようになっていて、図１１に示すようにハンガー１を横方向に張って利用したときにもクリップ３ａ〜３ｆを所望の箇所に位置させることができる。また、組紐は伸縮し断面形状を容易に変化させることができるので、開放部３９を介した挿通孔３５への挿入にも適している。
【００４０】
本実施の形態の紐体２はポリエステル繊維等の樹脂繊維でできているため、引っ張り強度に優れている。尚、紐体２は、断面が略円形状の他、略楕円形状、または略正方形状等のいわゆる丸紐であればよく、組紐の他、編み紐、織り紐、または縒り紐であってもよく表面が粗面に形成されていればよい。さらには、紐体２の材質は、樹脂繊維に限られるものではなく天然繊維、金属繊維であってもよい。
【００４１】
次に、ハンガー１に被掛止物としての帽子４ａを掛止する使用状態について説明する。図３に示すごとく、被掛止物を掛止しないときには、クリップ３ａは、挿通孔３５に対して紐体２が直交する方向に挿通されていることから、クリップ３ａは、紐体２に対して水平方向の状態からやや下向きに傾斜した状態の範囲で係合されている。したがって、挿通孔３５も紐体２に対して直交する方向であり挿通孔３５は紐体２の移動を規制せず、クリップ３ａは紐体２に対してフリーな状態となって、紐体２の長さの範囲で紐体２に対して移動自在になっている。
【００４２】
尚、図３においては、被掛止物を掛止しないときにも挿通孔３５内壁と紐体が当接している状態でクリップ３ａは紐体２に対して移動自在となっているが、さらに細い紐体を用いれば挿通孔３５内壁と紐体は当接しない状態で移動自在となり、クリップ３ａの自重により紐体２の下端に位置する状態となる。
【００４３】
そして、図４に示す如く、クリップ３ａの挟持部３１，３２に帽子４ａ（省略）を挟持させたときには、クリップ３ａは帽子４ａの自重により下向きに傾斜する。これに伴い挿通孔３５も傾斜し、挿通孔３５の対向する頂部３６、３７は、互いに垂下される紐体２の固定位置２１を押止するように当接係止し、紐体２の移動を規制する。したがって、クリップ３ａは紐体２に対して固定される。また、図５、図６と使用状態を示す図９に示す如く、さらに帽子４ａ（図６、図７において省略）の自重がかかると挿通孔３５内周壁の頂部３６、３７は、紐体２の固定位置２１の当接する部分を互いに違う方向へ屈曲して、屈曲係止し、挿通されてなる紐体２の通り抜けを完全に阻止し、クリップ３ａは紐体２に対して確実に固定されるようになっている。
【００４４】
図１０に示す如く、ハンガー１のクリップ３ａに、帽子４ａを掛止するときには、帽子４ａを掛止するクリップ３ａを所望の固定位置２１に移動させた後、帽子４ａを挟持部３１、３２で挟持すると、上述のように帽子４ａを保持したクリップ３ａは所望の固定位置２１に固定される。また、クリップ３ｂに、帽子４ｂを掛止するときには、帽子４ｂを掛止するクリップ３ｂを所望の固定位置に移動させた後、帽子４ｂを挟持部で挟持すると、上述のように帽子４ｂを保持したクリップ３ｂは所望の固定位置に固定される。このように、被掛止物の大きさや種類に見合った所望の間隔を確保してクリップ３ａ〜３ｆを所望の位置に位置させて帽子４ａ〜４ｆを掛止する。
【００４５】
そして、ハンガー１に帽子４ａ〜４ｆをそれぞれ保持させると、図１０に示すように、ハンガー１を目立たせることなく、帽子４ａ〜４ｆを整然と掛止することができる。また、使用しないクリップ３ｇは、取り外すこともできるし、そのまま紐体２に係合させておいてもよい。
【００４６】
尚、図示していないが、本実施の形態において保持具はクリップ３ａではなく、保持部を鉤部に形成したフック部としてもよい。この場合もフック部のフックに、被掛止物を掛止させると、フック部は被掛止物の自重により傾斜し、これに伴って挿通部が紐体を押止して当接係止し、またさらに、紐体を屈曲掛止してフックは、紐体に対して固定されるようになっている。また、被掛止物を保持する手段は、クリップやフックに限られるものではなく、磁石を用いた磁着手段、面ファスナーを用いた接着手段等いずれの手段であってもよい。
【００４７】
また、上述したように、このハンガー１は、当然のことながら図１１に示すように、横方向の他、様々な角度に張って使用することも可能であり、使用角度を問わずに使用できるハンガー１である。尚、ハンガー１を横方向に張った場合にも、帽子４ａ〜４ｆを整然と掛止することができる。
【００４８】
また、上述したように、このハンガー１には、帽子４ａ〜４ｆの他、携帯傘等の身の回り品、カード類やカレンダー等の文房具、手動泡立て器やへら等の台所用具等、所望の被掛止物を掛止することができる。このような比較的軽量の被掛止物は被掛止物の重さによりクリップ３ａ〜３ｇや、ハンガー１自体が落下することなく、被掛止物を確実に掛止することができる。
【図面の簡単な説明】
【００４９】
【図１】本願発明の実施の形態を示すハンガーの正面図。
【図２】ハンガーの側面図。
【図３】クリップが移動自在の状態のハンガーの垂直方向部分断面図。
【図４】被掛止物（省略）を掛止しクリップが紐体を当接係止して紐体に固定された状態のハンガーの垂直方向分断面図。
【図５】被掛止物（省略）を掛止しクリップが紐体を屈曲係止して紐体に固定された状態のハンガーの部分側面図。
【図６】図５に示す状態のハンガーの垂直方向部分断面図。
【図７】クリップの正面図。
【図８】クリップの背面図。
【図９】ハンガーの使用状態を示す部分斜視図。
【図１０】ハンガーの使用状態を示す斜視図。
【図１１】ハンガーの他の使用状態を示す斜視図。
【符号の説明】
【００５０】
１    ハンガー
２    紐体
２１  固定位置
２２  ループ
２３  ループ
３ａ〜３ｇクリップ
３１  挟持部
３２  挟持部
３３  挟持体
３４  挟持体
３５  挿通孔
３６  頂部
３７  頂部
３８  段部
３８ａ頂部
３８ｂ頂部
３９  開放部
４ａ〜４ｆ帽子
【図１】
2011087655.tif 000003
【図２】
2011087655.tif 000004
【図３】
2011087655.tif 000005
【図４】
2011087655.tif 000006
【図５】
2011087655.tif 000007
【図６】
2011087655.tif 000008
【図７】
2011087655.tif 000009
【図８】
2011087655.tif 000010
【図９】
2011087655.tif 000011
【図１０】
2011087655.tif 000012
【図１１】
2011087655.tif 000013